(57)【要約】【課題】  最近各地で発生した大地震により数多くの家屋が倒壊し、多くの尊い命が倒壊した家屋の下で失われた。これから家の耐震化をしようとしても多額の費用がかかるため、耐震化が進まない大きな理由である。【解決手段】  一枚板で金属製の角柱で「筋交い」のある長方形状の枠組みをつくり、枠組みの表裏面に化粧した板を張り、残りの部分を薄い板等で覆い一見して襖あるいは戸に見える耐震補強した建具を作った。また、上記金属製の角柱内側に溝を備え金属板の「筋交い」の入った長方形状の枠組みに、ガラスを角柱内の溝に装着し上部に外れ止めを備えた金属板で蓋をし、ネジや溶接で固定しガラス窓やサッシ戸などの耐震補強した建具を作り、既存のサッシ戸の補強方法も提示した。  現在一般家庭にある襖や戸、ガラス窓サッシ戸を本発明品である耐震補強した建具と交換すれば、安い費用で簡単に家の耐震性を高め人命を守り保護することができる。【選択図】図１
2009091882.tif 000002
【特許請求の範囲】
【請求項１】
孔の開いた金属製の角柱でできた長方形状の枠の中に、金属柱又は金属板で斜めに×状にあるいは縦に横に金属柱を加えて「筋交い」を入れ、四隅を固定した長方形状の金属製枠組みを作る。
できあがった金属製長方形状枠と「筋交い」の表裏面に接着剤を塗りその上に化粧した前記枠組みの外側に凹凸の木製枠を装着しその他必要な金具などを装着し、一見して襖や引き戸あるいはドアに見えることを特徴とする室内の耐震補強建具。
【請求項２】
内側に溝を設けた金属製角柱の長方形状枠組みの表と裏に、溝の端から角柱の表面からはみ出ない程度の厚さの金属板で斜めに×状にあるいは縦に横に「筋交い」を入れる。
長方形状の金属製角柱枠組み上部にはガラスを入れる隙間を設けておき、その隙間からガラスを入れ装着する。
上部に外れ止めを備えた金属板で蓋をし、ネジまたは溶接で固定する。
できあがった枠組みに既存の物と同様に取っ手や滑車などの必要な金具を装着し、ガラスを固定するためガラスと金属製角柱の隙間にゴムパッキンを装着したガラス窓やサッシ戸などの耐震補強建具。
【請求項３】
既にある金属枠の窓ガラスやサッシ戸から上部の金属枠をはずしガラスを取り出し、内側の溝の端から角柱の表面からはみ出ない程度の厚さの金属板で、前記同様斜めに×状にあるいは縦に横に「筋交い」を入れ四隅を固定した耐震補強建具。
【発明の詳細な説明】
【技術分野】
【０００１】  本発明は、家庭内の襖や戸、ガラス窓やサッシ戸の耐震補強を図った建具に関する。
【背景技術】
【０００２】  従来は、家庭内の襖や戸、ガラス窓やサッシ戸を利用して簡単に家屋の耐震性補強を図った建具などはなかった。
【発明の開示】
【発明が解決しようとする課題】
【０００３】  大地震の際、壁の中の「筋交い」が有効であることは良く知られているが、家屋の耐震化をするにも多額の費用がかかることが耐震補強の進まない原因となっているため、本発明は、安い費用で簡単に家屋の耐震補強を進めることが目的である。
【課題を解決するための手段】
【０００４】  請求項１については、図１のように強度を保ち軽量化のため孔の開いた一枚板の金属製の角柱でできた長方形状の枠の中に、金属柱又は金属板で×状に（斜めに一本又は縦に横に金属柱を加えて）「筋交い」を入れた長方形状の金属製枠組みを作る。
できあがった「筋交い」入りの金属製長方形状枠の表裏面に接着剤を塗り、図２ように化粧した薄い木製板を張り枠組みの上部下部左右に襖を立てるため凹凸の木製枠を装着し、その他必要な取っ手などの金具を装着して一見して襖に見えることを特徴とする室内の耐震補強建具。【０００５】  引き戸については、前記同様「筋交い」が入った長方形状の金属製枠組みの上に化粧した薄い木製板を張った枠組を用意し、設置する場所に応じて上部下部に凹凸の木製枠を取り付けたり下部に滑車を設ける。その他取っ手などの必要な金具を装着した一見して襖に見えることを特徴とする室内の耐震補強建具。【０００６】  ドアについては、前記同様「筋交い」の入った長方形状の金属製枠組みの上に図３２のように化粧した薄い木製板を張った枠組を用意し、外側に薄い板を張り金属部分を隠す。この枠組みにドアノブなどの必要な金具を取り付け一見してドアに見えることを特徴とする室内の耐震補強建具。【０００７】  また、耐震補強建具の寸法は取り付ける場所に応じて、金属製の角柱の長さや幅を長くしたり短く狭くしたりして調整する。【０００８】  請求項２については、一枚板で図４−９〜１２のように内側にガラスをいれるための溝を設け、又１３−１の枠組みの溝と角柱表面からはみ出さない程度の厚さの金属板で筋交いの入った金属製角柱で長方形状に枠組みをつくる。
長方形状の金属製角柱枠組み上部にはガラスを入れる隙間を設けておき、その隙間からガラスを入れ、上部に外れ止めを備えた金属板でその隙間を塞ぐように金属を差し入れるように蓋をしてネジや溶接で固定する。
できあがった枠組みに既存のガラス窓やサッシ戸と同様に枠組み下部には滑車を取り付け、その他必要な取っ手などの金具を取り付け、最後にガラスと溝の隙間にゴムパッキンを押し込み固定する。【０００９】  ガラスの飛散防止のため化粧を施したフィルムを貼っても良く、また図４−１４のように筋交いなどの金属柱にアクセントとして１５のステッカーなどを貼っても良く、溶接によりできた凸凹はヤスリなどで磨き塗装し直して仕上げ、図４−１７のように軽量化のため筋交いに孔を開けたり、さらに見栄えを良くするため図４−１６のように金属柱に飾りを装着しても良い。また、寸法は前記同様に耐震補強建具の取り付ける場所に応じて金属製の角柱の長さや幅を、長くしたり短く狭くしたりして調整する。【００１０】  請求項３については既に家などにあるサッシ戸と一本の金属片を斜めの筋交いとして使用した場合を例にすると、サッシ戸の上部にある図５−１８のように横に延びる金属製角柱とガラスとの縁にあるゴムパッキンをはずした後で金属製角柱を外す。ガラスを金属枠から取り出した後で図５−２２の二箇所を表と裏から溶接で固定する。
その枠組みの溝と角柱表面からはみださない程度の厚さの筋交いとしての金属板両端を図５−１９の部分と２０・２１の部分に適合するよう三角形に削る。
図５−１９・２１の部分と筋交いの三角形部分が接触するこの箇所を、表と裏から溶接で固定した後でガラスを金属枠に差し込み１８の金属製角柱を上から被せる。１８の金属製角柱と２０の筋交いの三角形部分が接触するところそして２３・２４の角柱同士が接する場所も溶接で固定するが、溶接する際付近に熱が発生するのでその熱からガラスを守るためガラスと金属製角柱の隙間に、防炎断熱性のある布あるいは同様の薄い金属板を差し込みその熱からガラスを守る。ステッカーなどの飾りは前記同様であり、最後に、ガラスと溝の隙間にゴムパッキンを押し込み固定する。【００１１】  もし、二枚以上の金属板を筋交いとして使い×状にあるいは縦に横に、または、表側と裏側の両面に加えて使う場合でも前記同様に金属板の両端が金属製角柱のＬ型の角と適合するように三角形に削り、装着の方法は上記のものと同様に装着する。
ステッカーなどの飾りは前記同様であり、最後にガラスと溝の隙間にゴムパッキンを押し込み固定する。【００１２】  また、商店などでサッシ戸が連なり上部にある横に延びる金属製角柱が外せずガラスを取り出せないときには、一旦金属製角柱とガラスとの縁にあるゴムパッキンを外しガラスと金属製角柱との間に隙間をつくる。
金属製枠が接する図５−２２の二箇所を溶接の熱からガラスを守るため、ガラスと金属製角柱の隙間に防炎断熱性のある布あるいは同様の薄い金属板を差し込みその熱からガラスを守りながら溶接で固定する。次に筋交いとしての金属板の両端がサッシ戸などの隅に適合するように三角形状に削られたものをあてがい、図５−１９・２０・２１の箇所を前記同様ガラスと金属製角柱の隙間に防炎断熱性のある布あるいは同様の薄い金属板を差し込みその熱からガラスを守りながら溶接で固定し、さらに２３・２４の箇所を同様の方法で固定する。ステッカーなどの飾りは前記同様であり、最後にガラスと溝の隙間にゴムパッキンを押し込み固定する。【００１３】  二枚以上の金属板を筋交いとして使い表面に×状にあるいは縦に横に、または、表側と裏側の両面に使う場合でも前記と同様に金属板の両端が金属製角柱のＬ型の角と適合するように三角形に削り、装着の方法は上記のものと同様である。
【発明の効果】
【００１４】  本発明により現在家の中にある耐震性のない襖やドアや引き戸あるいはガラス窓サッシ戸を、耐震強化した襖やドアや引き戸ガラス窓やサッシ戸と交換することにより家全体の耐震補強を安い費用で簡単におこなうことが可能となり、家の崩壊を防ぎ人命を守り保護することができる。
【発明を実施するための最良の形態】
【００１５】  以下、本発明の実施の形態を図１〜図５において説明する。【００１６】  図１は本発明の根幹をなすもので、軽量化と耐震性保持のため孔のあいた金属製角柱による筋交いが入った長方形状の枠組を作った時の図。【００１７】  図２は前記金属製角柱の表裏面に接着剤を塗り、化粧した薄い板を張り木製枠や取っ手などを装着し一見して普通の襖に見せたときの図。【００１８】  図３は上記金属製角柱の表裏面に接着剤を塗り、薄い板を張りドアノブなどの必要な金具などを装着し一見してドアに見せたときの図。【００１９】  図４は請求項２の内側に溝を設けた金属製角柱の長方形状枠組みの表と裏に、溝と角柱の表面からはみ出ない程度の厚さの金属板で×状に筋交いを入れたとき四隅の状態を示した図。【００２０】  図５は請求項３の既存のサッシ戸に金属板の筋交いを入れる際の要領を示した図。【００２１】  以下、耐震補強した建具の説明をする。請求項１の筋交いが入った金属製の枠に化粧した薄い木製板を貼り、一見して家の中にある普通の襖、押し入れの引き戸、ガラスの入った窓やサッシ戸などを作り、現在家の中にあるものと交換することによりある意味で家の中に壁を作り家の中から耐震化を図ることができる。今までの建具では地震の揺れにはかなわず簡単に柱に押し潰されてしまう危険が大であり、大地震が発生する度に多くの家が倒壊し多くの命が失われたことは実証済みである。本発明の耐震補強した建具は誰でも簡単に今家にあるある物と交換することができ、これを家の中で使用すれば完全ではないにしろある程度地震の揺れに耐えることができ、地震が発生しても家が潰れることを防ぎ人の命を守る事ができる。
【図面の簡単な説明】
【００２２】
【図１】  本発明の、孔のあいた金属製角柱による筋交いが入った枠組み。
【図２】  金属製角柱の枠組みに化粧した薄い板を張り、木製枠や取っ手を装着し一見して襖に見せたもの。
【図３】  前記枠組みに板を張り、取っ手などを装着し一見してドアに見せたもの。
【図４】  本発明筋交いが入り、ガラスが入るための溝がある金属製角柱による枠組みの、四隅の構造を示したもの。
【図５】  本発明既存のサッシ戸に金属板で筋交いを入れる際の要領を示したもの
【符号の説明】
【００２３】  １  金属製角柱
２  金属製角柱の筋交い
３  強度保持と軽量化のための孔
４  取っ手
５  金属製枠に被せた襖に見せるための化粧した薄い板
６  襖の木製枠
７  金属製枠に被せたドアに見せるための薄い板
８  ドアノブ
９  ガラスが入るための溝がある金属製角柱による枠組みの、左上隅の構造をしめしたもの
１０  上記枠組みの右上隅の構造をしめしたもの
１１  上記枠組みの左下隅の構造をしめしたもの
１２  上記枠組みの右下隅の構造をしめしたもの
１３  金属製角柱による枠組みのガラスが入るための溝をしめしたもの
１３−１  枠組みの溝と角柱表面からはみださない程度の厚さ
１４  金属製板の筋交い
１５  ステッカー
１６  金属製の飾り
１７  金属製板の筋交いに軽量化と強度保持のために開けた孔
１８  枠から外れた金属製角柱
１９  金属板の筋交いが金属製角柱に接する部分
２０  金属板の筋交いが金属製角柱に接する部分
２１  金属板の筋交いが金属製角柱に接する部分
２２  金属製角柱同士が接する部分
２３  金属製角柱同士が接する部分
２４  金属製角柱同士が接する部分
２５  筋交いの金属板に貼ったステッカー
２６  筋交いの金属板に軽量化と強度保持のために開けた孔
２７  金属製板の筋交い
【図１】
2009091882.tif 000003
【図２】
2009091882.tif 000004
【図３】
2009091882.tif 000005
【図４】
2009091882.tif 000006
【図５】
2009091882.tif 000007